(57)【要約】【課題】  梱包が容易で、運送効率がよく、施工現場での作業性に優れた、プレカット材の梱包物及び梱包方法、並びにプレカット材用システムを提供する。【解決手段】  予め切断された切断部分３１ｘ〜３５ｘが屋根面の辺に沿って配置される屋根材３１〜３５が、屋根面の辺に沿って配置される順にグループに分けされ、グループごとに梱包される。所定面積の各段に、１つのプレカット材３１が配置され又は切断部分３２ｘ，３５ｘ；３３ｘ，３４ｘ同士が対向するように２つのプレカット材３２，３５；３３，３４が配置され、所定段数分の各段が重ねて梱包される。【選択図】図２
2006123930.tif 000002
【特許請求の範囲】
【請求項１】
予め切断された切断部分が屋根面の辺に沿って配置される屋根材（以下、「プレカット材」という。）が、前記屋根面の前記辺に沿って配置される順にグループに分けされ、該グループごとに梱包された、プレカット材の梱包物であって、
所定面積の各段に、１つの前記プレカット材が配置され又は前記切断部分同士が対向するように２つの前記プレカット材が配置され、所定段数分の前記各段が重ねて梱包されたことを特徴とする、プレカット材の梱包物。
【請求項２】
前記プレカット材は梱包容器に収納され、該梱包容器の外表面の色が、その中に梱包される前記プレカット材が属する前記グループに応じて異なることを特徴とする、請求項１に記載のプレカット材の梱包物。
【請求項３】
３段分の前記プレカット材が梱包されたことを特徴とする、請求項１又は２に記載のプレカット材の梱包物。
【請求項４】
屋根面に屋根材をどのように配置するかを決定した屋根材割付データから、予め切断された切断部分が屋根面の辺に沿って配置される屋根材（以下、「プレカット材」という。）に関するデータを抽出するデータ抽出手段と、
前記データ抽出手段により抽出された前記データ基づき、所定段数分を１グループとし、所定面積の各段に、１つの前記プレカット材が配置され又は切断部分同士が対向するように２つの前記プレカット材が配置されるように、前記プレカット材を、前記屋根面の前記辺に沿って配置される順にグループに分けするグループ分け手段とを備えたことを特徴とする、プレカット材用システム。
【発明の詳細な説明】
【技術分野】
【０００１】
本発明は、プレカットルーフに関し、詳しくは、瓦その他の屋根材を屋根面にどのように配置するかの割付演算を行い、切断すべき屋根材を予め工場で切断した上、施工現場に搬入する技術に関する。
【背景技術】
【０００２】
図５に示したように、建築物の屋根２には、瓦などの矩形の屋根材６が棟３と軒５ａ，５ｂ，５ｃ，５ｄとの間に、一般には格子状や千鳥状に配置されている。このとき、矩形の屋根材６は、それぞれの辺が、大略、水平又は垂直となる状態で配置されるため、斜め方向の隅棟４ａ，４ｂ，４ｃ，４ｄに沿って配置されるものは、隅棟４ａ，４ｂ，４ｃ，４ｄに合わせて三角形や五角形などの形状に切断される。なお、図５では、屋根面２ａ，２ｂについてのみ屋根材６を図示し、屋根面２ｃ，２ｄについては図示を省略している。
【０００３】
屋根材を屋根面にどのように配置するか、すなわち屋根材の割付や、屋根材の切断は、従来、施工現場で行われていたが、これを施工現場以外で予め行うことが、種々提案されている。
【０００４】
例えば、特許文献１には、予め切断された屋根材（以下、「プレカット材」という。）を積み上げて梱包し、順番に梱包をほどきながら取り出して、屋根面の辺に沿って所定の方向に配列できるようにすることや、配列すべき位置情報等をプレカット材自体に印刷しておくことが提案されている。
【特許文献１】特開２００３−１２７０９２号公報
【発明の開示】
【発明が解決しようとする課題】
【０００５】
プレカット材の形状は、図５に示したように、種々の形状があり、また、大小さまざまなサイズがある。このような形状・寸法が不揃いであるプレカット材を積み上げて梱包することは面倒である。また、梱包形状が三角柱形状であったり、不揃いであると、梱包を運搬するときに無駄な空間ができ、同時に運べる数が少なくなり、多くの緩衝材が必要になるなど、運送効率が悪い上、施工現場においては、屋根面に持ち上げ所定位置まで運ぶ搬入作業がやりにくい。また、施工の際に、プレカット材の印刷をいちいち見ることは、実際の作業を行う上で面倒であり、現実には、プレカット材の印刷は作業効率の向上につながらない。
【０００６】
本発明は、かかる実情に鑑み、梱包が容易で、運送効率がよく、施工現場での作業性に優れた、プレカット材の梱包物及び梱包方法、並びにプレカット材用システムを提供しようとするものである。
【課題を解決するための手段】
【０００７】
本発明は、上記課題を解決するために、以下のように構成したプレカット材の梱包物を提供する。
【０００８】
プレカット材の梱包物は、予め切断された切断部分が屋根面の辺に沿って配置される屋根材（以下、「プレカット材」という。）が、前記屋根面の前記辺に沿って配置される順にグループに分けされ、該グループごとに梱包されたタイプのものである。所定面積の各段に、１つの前記プレカット材が配置され又は前記切断部分同士が対向するように２つの前記プレカット材が配置され、所定段数分の前記各段が重ねて梱包される。
【０００９】
上記構成において、プレカット材の梱包物内には、一定枚数（すなわち、段数の２倍の枚数）以下のプレカット材が収納されので、各梱包物の総重量は一定値を越えることはない。そのため、梱包物の重量は、運搬や施工現場での搬入などの際の人手による作業が容易にな範囲内にすることができる。
【００１０】
また、各段に１つのプレカット材を配置し、または切断部分同士が対向するように２つのプレカット材を配置することにより、プレカット材を配置する各段の形状を矩形とし、各段の面積を切断されていない屋根材と同程度のサイズまで小さくすることができ、所定段数分を重ねることにより、梱包物を直方体形状にすることができる。これにより、手作業で持ち運ぶのに容易であり、かつスペース効率が高いプレカット材の梱包物を得ることができる。例えば、同じ寸法・形状の箱や袋にプレカット材を梱包し、梱包物の形状・寸法を揃えることにより、輸送効率を向上することができ、搬送や施工現場での搬入作業も容易になる。
【００１１】
屋根面には、例えば同一寸法・形状の屋根材が配置され、プレカット材の配置に規則性があるので、プレカット材を配置すべき領域の寸法・形状から、どのような寸法・形状のプレカット材をどの位置にどのような向きに配置すべきかを容易に判断できる。上記構成のプレカット材の梱包物は、屋根面の辺に沿って配置される方向に順にグループに分けしてプレカット材が収納されているため、梱包物内のプレカット材の種類や枚数が限定され、収納されたプレカット材を屋根面に配置する領域も限定される。プレカット材を配置する領域が限定され、しかも配置するプレカット材の枚数が限定されているので、作業員は、梱包物からプレカット材を取り出す順に配列するのでなくても、また、プレカット材に印刷がなくても、さらにはプレカット材の配置図をいちいち見なくても、プレカット材を直ちにしかるべき位置にしかるべき向きに配置することができる。
【００１２】
好ましくは、前記プレカット材は梱包容器に収納され、該梱包容器の外表面の色が、その中に梱包される前記プレカット材が属する前記グループに応じて異なる。
【００１３】
上記構成によれば、梱包容器の外表面の色を見て、屋根面の所定位置まで運ぶことができる。
【００１４】
なお、梱包容器は、例えば箱状にしたり袋状にしたりすることができる。梱包容器が繰り返し使用可能であれば、廃棄物を減らして地球環境への負荷を小さくことができる。梱包容器が折り畳み可能であれば、使用後の取り扱いが容易になる。
【００１５】
好ましくは、３段分の前記プレカット材が梱包される。
【００１６】
この場合、一般的な屋根材について、梱包物の重量を、手作業で運搬を行うことが容易な範囲内（例えば、１５ｋｇ以下）にすることができる。また、一つの梱包物中に収納されるプレカット材は６枚以下であり、この程度の枚数であれば、屋根面のどの位置にどの向きに配置するべきかを判断することが、一層容易になる。
【００１７】
また、本発明は、上記課題を解決するために、以下のように構成したプレカット材用システムを提供する。
【００１８】
プレカット材用システムは、屋根面に屋根材をどのように配置するかを決定した屋根材割付データから、予め切断された切断部分が屋根面の辺に沿って配置される屋根材（以下、「プレカット材」という。）に関するデータを抽出するデータ抽出手段と、前記データ抽出手段により抽出された前記データ基づき、所定段数分を１グループとし、所定面積の各段に、１つの前記プレカット材が配置され又は切断部分同士が対向するように２つの前記プレカット材が配置されるように、前記プレカット材を、前記屋根面の前記辺に沿って配置される順にグループに分けするグループ分け手段とを備える。
【００１９】
上記構成により、適切なグループ分けに従ってプレカット材を梱包することができる。これによって、プレカット材の切断作業と梱包作業との連携を図り、作業効率を向上することができる。
【発明の効果】
【００２０】
本発明のプレカット材の梱包物及び梱包方法、並びにプレカット材用システムは、プレカット材の梱包が容易で、運送効率がよく、施工現場での作業性に優れる。
【発明を実施するための最良の形態】
【００２１】
以下、本発明の実施の形態として実施例を、図１〜図４を参照しながら説明する。
【００２２】
図１は、屋根面を垂直方向から見た屋根伏せ図の要部を示す。図１では、簡単のため、隣接する屋根材２０同士の重なりを省略して図示している。
【００２３】
屋根材２０は、軒１０に沿って平行、すなわち水平に、複数列が配置される。隣接する屋根材２０が重な合う寸法は、ある範囲内で調整することができるので、屋根材２０は、水平方向の列の数が整数になり、最上列の屋根材を水平方向に切断しなくてよいように、割り付けられる。各列の屋根材２０のうち、屋根面の斜め方向の辺である隅棟１２に沿って配置される屋根材２１〜２８は、隅棟１２に沿って切断される。
【００２４】
隅棟１２に沿って配置される屋根材２１〜２８について予め切断したもの（以下、「プレカット材」という。）は、隅棟１２に沿って配置される順にグループに分けし、グループごとに梱包される。グループ分けは、例えば下から順に行い、屋根材２１〜２６についてのプレカット材を第１グループ、屋根材２７，２８・・・についてのプレカット材を第２グループなどとする。
【００２５】
このようにグループ分けしたプレカット材の梱包物は、施工現場において、それぞれ屋根面上に運ばれ、梱包されたプレカット材を配置すべき領域付近で開梱される。
【００２６】
梱包物から取り出されたプレカット材は、その枚数と配置すべき領域とが限定されているので、屋根面の形状と切断されない屋根材２０の配置との関係から、どのプレカット材をどの位置にどのような向きに配置すべきかを直ちにに判断できる。
【００２７】
例えば、６枚の屋根材２１〜２６についてのプレカット材が梱包されている場合、軒１０と隅棟１２の両方に沿う屋根材２１についてのプレカット材は、直角より大きい角と直角より小さい角とを有する四角形であるので、すぐに特定することができる。切断されない屋根材２０の水平方向の辺と垂直方向の辺の両方に隣接する屋根材２３，２５についてのプレカット材は五角形であり、切断されない屋根材２０の辺に隣接する辺以外の辺の長さの大小関係や斜めの辺の傾き、屋根面形状と切断されない屋根材２０との配置関係から、どちらをどの方向に配置するかを特定することができる。三角形の屋根材２２，２４，２６についてのプレカット材は、隣接する屋根材２１，２３，２６についてのプレカット材の辺の長さの大小関係や斜めの辺の傾きから、どれをどの向きに配置すればよいかを特定することができる。
【００２８】
つまり、プレカット材を配置する領域が限定され、しかもその領域に配置するプレカット材の枚数が限定されていれば、プレカット材の配置に一定の規則性があるため、プレカット材を配置すべき領域（すなわち、屋根面において、切断されない屋根材が配置される領域以外の領域）とプレカット材を見ただけで、どのプレカット材をどの位置にどのような向きに配置すべきかを判断することができる。そのため、施工を繰り返し行う作業員は、梱包を解いたときにプレカット材を取り出す順序が決まっていなくても、また、プレカット材に使用位置等に関する情報が印刷されていなくても、さらにはプレカット材の配置図をいちいち見なくても、プレカット材を配置する向きや位置を、容易にかつ短時間で判断することができる。
【００２９】
次に、プレカット材の梱包物について、図２及び図３を参照しながら説明する。
【００３０】
図２に示すように、切断部分３１ｘ〜３５ｘを有するプレカット材３１〜３５は、クッション材４０の間に、３段に分けて収納される。各段には、下の段ほど面積の大きいプレカット材を配置する。
【００３１】
すなわち、下段には、面積が最大のプレカット材３１のみを配置する。中段には、面積の大きさが２番目のプレカット材３２と、面積が最小のプレカット材３５とを、切断部分３２ｘ、３５ｘ同士が対向するように配置する。上段には、２枚のプレカット材３３，３４を切断部分３２ｘ、３５ｘ同士が対向するように配置する。
【００３２】
下の段ほど面積の大きいプレカット材を配置すれば、梱包中のプレカット材を最も安定して配置することができるので好ましいが、各段の上下の順序を変更してもよい。また、プレカット材の切断部分の方向を段ごとに異なるようにしても、統一してもよい。また、各段においてプレカット材の表裏を揃えても、表裏を揃えないようにしてもよい。プレカット材の大きさによっては、すべての段に２枚のプレカット材を配置することができる。また、１枚のみのプレカットは配置する段が２段以上であってもよい。
【００３３】
プレカット材を３段に分けて梱包すると、梱包物の重量を、運搬や施工現場での搬入などの際の人手による作業を容易に行うことができる範囲（例えば、１５Ｋｇ以下）にすることができる。また、梱包されるプレカット材の枚数も６枚以下になるので、屋根面への配置位置や配置方向の判断が容易である。もっとも、これより段数を多くても、少なくしてもよい。
【００３４】
各段に１つのプレカット材３１を配置し、または切断部分３２ｘ，３５ｘ；３３ｘ、３４ｘ同士が対向するように２つのプレカット材３２，３５；３３，３４を配置することにより、プレカット材３１〜３５を配置する各段の形状を矩形とし、各段の面積を切断されていない屋根材と同程度のサイズまで小さくすることができる。すなわち、クッション材４０を矩形とし、その面積は、切断しない屋根材と同程度（例えば、１．５倍〜２倍程度）の大きさである。クッション材４０は、廃棄物削減の観点から、繰り返して使用できるのが好ましい。
【００３５】
プレカット材は、図３に示す梱包箱５０に、３段分を重ねて収納する。図３においては一方のみ図示しているが、梱包箱の一対の側面５１には穴５１ａが形成され、手の指を差し込んで持ち運ぶことができるようになっている。他の側面５２には、透明シートの３辺を貼り付けたポケット状のラベル挿入部５２ａが設けられ、所定事項を記載したラベルを挿入できるようになっている。
【００３６】
梱包箱５０は、プラスチック材を所定形状に切断して結合したものであり、図（ｂ）に示すように、上下片５３，５４の係合を解除すると、折り畳むことができ、繰り返し使用することができる。
【００３７】
梱包箱５０を用いることにより、プレカット材の梱包物を直方体形状にすることができ、手作業による持ち運びが容易である。また、スペース効率が高く、プレカット材の梱包物の形状・寸法を揃え、輸送効率を向上することができ、搬送や施工現場での搬入作業も容易になる。
【００３８】
なお、梱包箱５０の代わりに、布などにより箱状の袋を形成し、これにプレカット材を梱包するなどしてもよい。この場合、折り畳みや軽量化が容易である。
【００３９】
収納するプレカット材を屋根面上に配置する位置に応じて、梱包箱５０の外表面を一定のルールに従って色分けすれば、梱包箱５０の外表面の色を見て、屋根面上の所定位置まで、梱包箱５０を運ぶことができる。例えば、梱包箱５０の側面５１，５２の色は、屋根面の辺に沿って下からグループ分けされる順に、異なる色を用いる。また、梱包箱５０の上片５３（上面）の色は、屋根面の辺ごとに、異なる色を用いる。
【００４０】
次に、プレカット材のグループ分けについて、図４のフローチャートを参照しながら説明する。
【００４１】
プレカット材のグループ分けは、所定のプログラムに従って動作するプレカット材用システムを用いて行う。このシステムは、屋根面への屋根材の割付演算を行うプレカットシステムの機能の一部に含めても、プレカットシステムとは別に独立したシステムとしてもよい。以下では、後者の場合を例に説明する。
【００４２】
予め、屋根面の寸法データや屋根材の寸法データ、屋根材の施工ルールなどに基づいて、プレカットシステムにより、あるいは個別に設計を行い、屋根面に屋根材をどのように配置するかを決定する。隣り合う屋根材が重なり合う寸法には許容幅があるので、この許容範囲内で、屋根材配置の最適化を図る。
【００４３】
次に、屋根材の割付結果から、屋根面の辺に沿って配置され切断される屋根材（プレカット材）に関するデータ（例えば、屋根面上に配置する向きや位置、寸法・形状などのデータ）を抽出する。例えば図１に示すように、隅棟１２に沿って配置される屋根材２１〜２８に関するデータを抽出する。抽出したデータは、プレカット材用システムに入力する。
【００４４】
プレカット材システムは、所定のプログラムに従って、屋根材の辺ごとに、プレカット材を下から順にグループ分けする。
【００４５】
すなわち、図４のフローチャートに示すように、屋根面の一つの辺に沿って配置されるプレカット材について、下からｎ枚分抽出する（Ｓ１０）。このとき、初期値は、例えばｎ＝６とする。
【００４６】
次に、抽出したｎ枚のプレカット材中で面積が最大のものと最小のものとを抽出し（Ｓ１２）、その２枚の面積の和を求め、所定値以下であるか否か、すなわち１段に配置できるか否かを判定する（Ｓ１４）。所定値以下である場合には（Ｓ１４でＹＥＳ）、ステップＳ１２で抽出した面積が最大と最小の２枚のプレカット材を１段に配置することとし、段数カウンタをカウントアップする（Ｓ１６）。所定値を超える場合には（Ｓ１４でＮＯ）、面積が最大の１枚のプレカット材のみを１段に配置することとし、段数カウンタをカウントアップする（Ｓ１８）。
【００４７】
次に、段数カウンタを参照し、配置が決定した段数が３段に達したか否かを判定し（Ｓ２０）、３段に達していない場合は（Ｓ２０でＮＯ）、抽出したプレカット材のうち、配置が決定していない残りのプレカット材について、上記ステップＳ１２〜Ｓ２０を繰り返す。
【００４８】
３段に達している場合は（Ｓ２０でＹＥＳ）、抽出したプレカット材のうち、配置が決定していないプレカット材が残っていないか否かを判定する（Ｓ２２）。配置が決定していないプレカット材が残っていれば（Ｓ２２でＮＯ）、ｎを１だけ減じて（Ｓ２４）、上記ステップＳ１０〜Ｓ２２を再試行する。配置が決定していないプレカット材が残っていなければ（Ｓ２２でＹＥＳ）、プレカット材のグループ分けを確定し、グループ分けが確定していない残りのプレカット材について、上記と同様の手順でグループ分けを繰り返す。
【００４９】
屋根面の他の辺に沿って配置されるプレカット材についても、上記と同様の手順を繰り返す。
【００５０】
プレカット材用システムは、プレカット材の切断作業と梱包作業の連携を図り、作業効率を向上することができるように、プレカット材に関するデータを出力する。例えば、グループごとに、プレカット材の切断寸法データを出力する。
【００５１】
以上に説明したようにプレカット材をグループ分けして梱包すると、梱包が容易で、運送効率がよく、施工現場での作業性に優れる。
【００５２】
なお、本発明は、上記実施例に限定されるものではなく、種々の変更を加えて実施可能である。
【００５３】
例えば、プレカット材の面積に基づいてグループ分けをする代りに、プレカット材の切断部分の寸法と、プレカット材の形状の種類（三角形、四角形、五角形）とを用いて、グループ分けを行ってもよい。
【００５４】
本発明は、瓦に限らず、種々の屋根材（例えば、下地材）に適用することができ、屋根材を兼用したソーラーパネルなどにも適用可能である。
【図面の簡単な説明】
【００５５】
【図１】屋根材の割付の説明図である。（実施例）
【図２】プレカット材の梱包の説明図である。（実施例）
【図３】梱包箱の説明図である。（実施例）
【図４】プレカット材のグループ分け手順を示すフローチャートである。（実施例）
【図５】屋根材の配置を示す屋根の外観図である。（従来例）
【符号の説明】
【００５６】
１０  軒
１２  隅棟（辺）
２０〜２８  屋根材
３１〜３５  プレカット材
３１ｘ〜３５ｘ  切断部分
４０  クッション材
５０  梱包箱（梱包容器）
【図１】
2006123930.tif 000003
【図２】
2006123930.tif 000004
【図３】
2006123930.tif 000005
【図４】
2006123930.tif 000006
【図５】
2006123930.tif 000007